(57)【要約】【課題】インクに含まれる水や溶媒の記録媒体内部への浸透を抑制し、カールやカックルの発生を防止するとともに、乾燥効率の向上、記録の高速化を図るとともに、色ずれや画像ずれを防止して、高画質化を達成する。【解決手段】搬送手段で搬送される記録媒体に対して、処理液を付与する処理液付与手段と、その搬送方向下流側に配置された水性紫外線硬化型インクを吐出する液体吐出ヘッドと、さらにその下流側に配置された半硬化手段と、さらにその下流側に配置された、前記記録媒体の乾燥手段と、さらに下流側に配置された本硬化手段とを備えたことを特徴とするインクジェット記録装置を提供することにより前記課題を解決する。【選択図】図３
2011201125.tif 000002
【特許請求の範囲】
【請求項１】
記録媒体を搬送する搬送手段と、
前記搬送される記録媒体に対して、インク組成物中の成分を凝集させる処理液を付与する処理液付与手段と、
前記処理液付与手段に対して前記搬送方向下流側に配置され、前記記録媒体に対して水性紫外線硬化型インクを吐出する液体吐出ヘッドと、
前記液体吐出ヘッドに対して前記搬送方向下流側に配置され、前記液体吐出ヘッドにより前記記録媒体上に吐出された前記水性紫外線硬化型インクに対して紫外線を照射して半硬化させる半硬化手段と、
前記半硬化手段に対して前記搬送方向下流側に配置され、前記記録媒体を乾燥させる乾燥手段と、
前記乾燥手段に対して前記搬送方向下流側に配置され、前記液体吐出ヘッドにより前記記録媒体上に吐出された前記水性紫外線硬化型インクに対して紫外線を照射して本硬化させる本硬化手段と、
を備えたことを特徴とするインクジェット記録装置。
【請求項２】
前記乾燥手段に対して前記記録媒体を搬送する搬送手段は、前記記録媒体を裏面から負圧吸引するための複数の吸引孔が形成された搬送面を有し、前記記録媒体を前記搬送面上に吸着して搬送することを特徴とする請求項１に記載のインクジェット記録装置。
【請求項３】
前記搬送手段は、第１のドラム外周面に対向して前記液体吐出ヘッドが配置され、前記記録媒体を前記第１のドラム外周面に保持して回転搬送しながら、前記液体吐出ヘッドから前記水性紫外線硬化型インクを前記記録媒体に向けて吐出するように構成された描画ドラムと、
第２のドラム外周面に対向して前記乾燥手段が配置され、前記記録媒体を前記第２のドラム外周面に保持して回転搬送しながら、前記乾燥手段により前記記録媒体を乾燥するように構成された乾燥ドラムと、
前記描画ドラムと前記乾燥ドラムとの間に配置され、前記記録媒体の先端を保持する保持手段を備え、該保持手段により前記記録媒体を保持して回転搬送し、前記描画ドラムから前記乾燥ドラムへ前記記録媒体を受け渡す第１の中間搬送体と、
を含むことを特徴とする請求項１に記載のインクジェット記録装置。
【請求項４】
前記第１の中間搬送体の内部に前記半硬化手段が配置されたことを特徴とする請求項３に記載のインクジェット記録装置。
【請求項５】
前記乾燥ドラムは、その外周面に前記記録媒体を裏面から負圧吸引するための複数の吸引孔が形成され、前記記録媒体を前記外周面上に吸着して搬送することを特徴とする請求項３または４に記載のインクジェット記録装置。
【請求項６】
前記搬送手段は、さらに、第３のドラム外周面に対向して前記本硬化手段が配置され、前記記録媒体を前記第３のドラム外周面に保持して回転搬送しながら、前記本硬化手段により前記記録媒体を本硬化するように構成された定着ドラムと、前記乾燥ドラムと前記定着ドラムとの間に配置され、前記記録媒体の先端を保持する保持手段を備え、該保持手段により前記記録媒体を保持して回転搬送し、前記乾燥ドラムから前記定着ドラムへ前記記録媒体を受け渡す第２の中間搬送体と、を含むことを特徴とする請求項３〜５のいずれかに記載のインクジェット記録装置。
【請求項７】
搬送手段により搬送される記録媒体に対して、インク組成物中の成分を凝集させる処理液を付与する工程と、
前記処理液付与工程に引き続き、前記記録媒体に対して水性紫外線硬化型インクを吐出して前記記録媒体上に描画する描画工程と、
前記描画工程に引き続き、前記記録媒体上に吐出された前記水性紫外線硬化型インクに対して紫外線を照射して半硬化させる半硬化工程と、
前記半硬化工程に引き続き、前記記録媒体を乾燥させる乾燥工程と、
前記乾燥工程に引き続き、前記記録媒体上に吐出された前記水性紫外線硬化型インクに対して紫外線を照射して本硬化させる本硬化工程と、
を含むことを特徴とするインクジェット記録方法。
【請求項８】
前記乾燥工程において、前記記録媒体は、複数の吸引孔が形成された搬送面を有する搬送手段によって、前記記録媒体裏面側から前記搬送面に負圧吸引されて搬送されることを特徴とする請求項７に記載のインクジェット記録方法。
【請求項９】
前記各工程において、前記記録媒体は、回転する各搬送ドラムの外周面上に保持されて搬送され、各工程の各搬送ドラム間において、前記記録媒体は、各搬送ドラム間に配置された中間搬送体によって、前段の工程の搬送ドラムから、それに引き続く後段の工程の搬送ドラムへ受け渡されることを特徴とする請求項７に記載のインクジェット記録方法。
【請求項１０】
前記描画工程において描画された前記記録媒体は、前記描画工程の搬送ドラムと前記乾燥工程の搬送ドラムの間に配置された中間搬送体によって、前記描画工程の搬送ドラムから前記乾燥工程の搬送ドラムへ受け渡される間に半硬化されることを特徴とする請求項９に記載のインクジェット記録方法。
【請求項１１】
前記乾燥工程の搬送ドラムは、その外周面に前記記録媒体を裏面から負圧吸引するための複数の吸引孔が形成され、前記記録媒体を前記外周面上に吸着して搬送することを特徴とする請求項９または１０に記載のインクジェット記録方法。
【発明の詳細な説明】
【技術分野】
【０００１】
本発明は、インクジェット記録装置及びインクジェット記録方法に係り、特に、インクジェットヘッドに対して相対搬送される記録媒体に対して、インクジェットヘッドから水性紫外線硬化型インクで印字を行い、記録媒体上に印字されたインクを硬化、定着するインクジェット記録装置及びインクジェット記録方法に関する。
【背景技術】
【０００２】
従来、紫外線硬化型インクを用いるインクジェット記録方法では、カラー画像を形成する場合、各色のインクにより形成された画像に対して、最終的に一括して紫外光を照射する場合と、各色のインクを吐出する毎に紫外光を照射する場合とがある。
【０００３】
紫外線硬化型インクは、紫外光を照射しないと固化しないので、記録媒体にインク液滴が着弾すると、そのインクが記録媒体に浸透したり拡散して、隣接したインクドット同士がつながったり、インクドットが流れてドットの位置が移動してしまったりするため、画像がぼけてしまうという不具合が生じる。
【０００４】
また、順次インクが吐出されるため、記録媒体上で異なる色のインク液滴が隣接した場合には、ブリードや混色などが生じ、所望の色合いが得られなかったり、色の境界がぼけたりして、画像にシャープさがなくなってしまうという不具合が発生する。
【０００５】
そこで従来、これらの不具合を改善するべく、紫外線硬化型インクを用いて印字を行い紫外線で硬化する際、様々な工夫を行ったインクジェット記録装置が提案されている。
【０００６】
例えば、特許文献１では、ブリードや混色、色ずれや滲みを防ぎつつ、装置の小型化を達成する目的で、一部に紫外光を透過する蒲鉾型の曲面を有する、画像が形成された記録媒体を搬送する搬送機構の内側から、記録ヘッド毎に吐出された記録媒体の裏面側に向かって紫外光を照射してインクを順次プレ硬化させて、その後に表面側からさらに紫外光を照射してインクを本硬化させる画像形成装置が提案されている。
【０００７】
また、例えば特許文献２では、色間ブリーディングによる画質劣化を防止するとともに、ノズル内インクの硬化を防止する目的で、色別のインクジェットヘッド間に着弾インク液滴を半硬化させる紫外線を照射する硬化手段と、ハンドリング（本硬化の下流搬送工程におけるローラや搬送ガイド等と画像面との擦れ、プリント集積部におけるプリント同士の擦れ、仕上がったプリントを実際に取り扱う時の種々の物体による擦れ等）によって画像劣化を起こらない程度に本硬化させる紫外線を照射する硬化手段を備えた画像形成装置が提案されている。
【０００８】
また、例えば、複数回紫外線照射してもインクの半硬化状態を維持させ、確実に中間処理を可能とし、光沢感のある画像定着を実現するとともに、カラー画像形成時における異色インク間の混色による画質劣化を防止する目的で、分光吸収特性の重ならない２種のＵＶ硬化開始剤（半硬化手段による照射のみで硬化開始する開始剤と、本硬化手段による照射で硬化開始する開始剤を含む）と、モノマー及び色材を含む紫外線硬化型インクを吐出することで、インクドットが半硬化手段により複数回照射されても紫外線硬化型インクが記録媒体上で半硬化状態を維持するため、加熱・加圧定着や中間転写などの中間処理を確実に行うことができるフルラインヘッドを備えた画像形成装置が提案されている。
【先行技術文献】
【特許文献】
【０００９】
【特許文献１】特開２００５−１９３５２７号公報
【特許文献２】特開２００５−２８０３４６号公報
【特許文献３】特開２００７−１１２１１７号公報
【発明の概要】
【発明が解決しようとする課題】
【００１０】
しかしながら、上記特許文献１に記載のものでは、ドラム内部から記録媒体裏面に向かって紫外光を照射する構成であるので、記録媒体が紫外光を透過できる素材や、紫外光が繊維の隙間を浸透していくコピー用紙のような普通紙等である場合には、インク滴の下部を半硬化することで浸透を抑制することができるが、記録媒体が、例えば厚手のコート紙のように紫外光を大きく吸収する場合にはインクに到達する光量が不足するため、十分な硬化が期待できないという問題がある。
【００１１】
また、上記特許文献２に記載のものでは、半硬化手段を色別のインクジェットヘッド間に配置しているため、記録ヘッドを搭載する固定部材、インク供給や信号供給線及び、紫外光照射部からなる一つのヘッドユニットが搬送方向に色数の分だけ並列的に配設されることにより、構造の複雑化及び装置の大型化・高コスト化が招来されるとともに、各記録ヘッド間の距離が長くなることが影響して、色間ずれや輪郭ずれなどの画像ずれが生じるという問題がある。
【００１２】
また、上記特許文献３に記載のものでは、一般的な紫外光光源（キセノンランプ、超高圧水銀ランプ、メタルハライドランプ）は分光分布が広帯域であるため、２種のうち一方の開始剤を選択的に硬化開始させることが難しい。代わりとして紫外光領域に狭帯域の発光分布を持つＬＥＤやレーザダイオードなどを用いればよいが、これらの光源は高価であるため、光源を線状に配列して高生産性を実現しようとすると装置の高コスト化が避けられない。また例えば、顔料インクに複数の開始剤を混ぜた場合、分散安定性が劣化するという問題がある。
【００１３】
またさらに、水性インクを用いるインクジェット記録方法では、記録媒体にインク滴を吐出して着弾させるため、紙などの記録媒体にはインク水分が染み込むことによって、カックル（記録媒体の吸水による、記録媒体の膨張変形）と呼ばれる現象が発生し、記録品位を低下させてしまうという問題がある。
【００１４】
特にインクジェット記録装置の高解像度化、記録の高速化に伴い、インクジェットヘッドは吐出口が高密度に配置され、かつ吐出口の数が多くなり長尺化の傾向にある。このように、高密度に配列され、固定化された長尺ヘッドを用いて一回のパスで高速印刷を行うシステムの場合、記録の高速化における乾燥効率化、及びカックルの抑制を図る必要がある。
【００１５】
本発明は、このような事情に鑑みてなされたもので、インクに含まれる水や溶媒の記録媒体内部への浸透を抑制し、カールやカックルの発生を防止するとともに、乾燥効率の向上、記録の高速化を図るとともに、色ずれや画像ずれを防止して、高画質化を達成することのできるインクジェット記録装置及びインクジェット記録方法を提供することを目的とする。
【課題を解決するための手段】
【００１６】
前記目的を達成するために、請求項１に記載の発明は、記録媒体を搬送する搬送手段と、前記搬送される記録媒体に対して、インク組成物中の成分を凝集させる処理液を付与する処理液付与手段と、前記処理液付与手段に対して前記搬送方向下流側に配置され、前記記録媒体に対して水性紫外線硬化型インクを吐出する液体吐出ヘッドと、前記液体吐出ヘッドに対して前記搬送方向下流側に配置され、前記液体吐出ヘッドにより前記記録媒体上に吐出された前記水性紫外線硬化型インクに対して紫外線を照射して半硬化させる半硬化手段と、前記半硬化手段に対して前記搬送方向下流側に配置され、前記記録媒体を乾燥させる乾燥手段と、前記乾燥手段に対して前記搬送方向下流側に配置され、前記液体吐出ヘッドにより前記記録媒体上に吐出された前記水性紫外線硬化型インクに対して紫外線を照射して本硬化させる本硬化手段とを備えたことを特徴とするインクジェット記録装置を提供する。
【００１７】
このように、本発明においては、描画前に記録媒体に処理液を付与するようにしたため、記録面上での色材流れ、色材滲み、各色インク間の混色、インク滴同士の着弾干渉等が防止され、また、インクに含まれる固形成分が記録面上に凝集することによって毛管が形成されるため、インクに含まれる水や溶媒の記録媒体内部への浸透を抑制することができる。また描画後乾燥前に半硬化するようにしたため、インクが増粘し、インクに含まれる水や溶媒の記録媒体内部への浸透を抑制でき、浸透によるカールやカックルの発生を抑制することができる。また、水や溶媒は記録面の表面近傍に溜まるため、その後の乾燥における乾燥効率が向上する。
【００１８】
また、複数色のインクを打滴した後で一括してインクの半硬化を行うようにしたため、紫外線照射部を各色別のヘッドの間に設置する必要がなく、装置の大型化及び高コスト化を回避することができる。さらに、各色別のヘッドの間隔を狭くすることができるので、色ずれや画像ずれを防止することができるとともに、高速記録が可能となる。
【００１９】
また、本硬化により、その下流側の搬送工程におけるローラや搬送ガイド等と画像面との擦れや、プリント集積部におけるプリント同士の擦れ、あるいは仕上がったプリントを取り扱う際の種々の物体による擦れなどを防止して、高画質化を達成することが可能となる。
【００２０】
また、請求項２に示すように、前記乾燥手段に対して前記記録媒体を搬送する搬送手段は、前記記録媒体を裏面から負圧吸引するための複数の吸引孔が形成された搬送面を有し、前記記録媒体を前記搬送面上に吸着して搬送することを特徴とする。
【００２１】
このように、吸着して乾燥することにより、カールやカックルの発生を抑制することができる。さらに、乾燥の前に半硬化しているため、インクの流動が抑制され、吸着乾燥の際にインクが吸着穴に溜まり難い。
【００２２】
また、請求項３に示すように、前記搬送手段は、第１のドラム外周面に対向して前記液体吐出ヘッドが配置され、前記記録媒体を前記第１のドラム外周面に保持して回転搬送しながら、前記液体吐出ヘッドから前記水性紫外線硬化型インクを前記記録媒体に向けて吐出するように構成された描画ドラムと、第２のドラム外周面に対向して前記乾燥手段が配置され、前記記録媒体を前記第２のドラム外周面に保持して回転搬送しながら、前記乾燥手段により前記記録媒体を乾燥するように構成された乾燥ドラムと、前記描画ドラムと前記乾燥ドラムとの間に配置され、前記記録媒体の先端を保持する保持手段を備え、該保持手段により前記記録媒体を保持して回転搬送し、前記描画ドラムから前記乾燥ドラムへ前記記録媒体を受け渡す第１の中間搬送体と、を含むことを特徴とする。
【００２３】
このようにドラム搬送方式を採用することにより高生産性、高画質性を実現することが可能となる。
【００２４】
また、請求項４に示すように、前記第１の中間搬送体の内部に前記半硬化手段が配置されたことを特徴とする。
【００２５】
このように、第１の中間搬送体に半硬化手段を配置することにより、インクジェットヘッドから離れた渡し胴搬送手段によって半硬化させることにより、インクジェットヘッドのノズル面でインクが硬化することにより吐出不良を低減することができる。
【００２６】
また、請求項５に示すように、前記乾燥ドラムは、その外周面に前記記録媒体を裏面から負圧吸引するための複数の吸引孔が形成され、前記記録媒体を前記外周面上に吸着して搬送することを特徴とする。
【００２７】
このようにドラム搬送の場合にも吸着して乾燥することにより、カールやカックルの発生を抑制することができる。さらに、乾燥の前に半硬化しているため、インクの流動が抑制され、吸着乾燥の際にインクが吸着穴に溜まり難い。
【００２８】
また、請求項６に示すように、前記搬送手段は、さらに、第３のドラム外周面に対向して前記本硬化手段が配置され、前記記録媒体を前記第３のドラム外周面に保持して回転搬送しながら、前記本硬化手段により前記記録媒体を本硬化するように構成された定着ドラムと、前記乾燥ドラムと前記定着ドラムとの間に配置され、前記記録媒体の先端を保持する保持手段を備え、該保持手段により前記記録媒体を保持して回転搬送し、前記乾燥ドラムから前記定着ドラムへ前記記録媒体を受け渡す第２の中間搬送体と、を含むことを特徴とする。
【００２９】
ドラム搬送することにより高生産性、高画質性を実現することが可能となる。
【００３０】
また、同様に前記目的を達成するために、請求項７に記載の発明は、搬送手段により搬送される記録媒体に対して、インク組成物中の成分を凝集させる処理液を付与する工程と、前記処理液付与工程に引き続き、前記記録媒体に対して水性紫外線硬化型インクを吐出して前記記録媒体上に描画する描画工程と、前記描画工程に引き続き、前記記録媒体上に吐出された前記水性紫外線硬化型インクに対して紫外線を照射して半硬化させる半硬化工程と、前記半硬化工程に引き続き、前記記録媒体を乾燥させる乾燥工程と、前記乾燥工程に引き続き、前記記録媒体上に吐出された前記水性紫外線硬化型インクに対して紫外線を照射して本硬化させる本硬化工程と、を含むことを特徴とするインクジェット記録方法を提供する。
【００３１】
これにより、インクに含まれる水や溶媒の記録媒体への浸透を抑制し、カールやカックルの発生を抑制し、乾燥効率を向上させ、画質向上及び記録の高速化を達成することができる。
【００３２】
また、請求項８に示すように、前記乾燥工程において、前記記録媒体は、複数の吸引孔が形成された搬送面を有する搬送手段によって、前記記録媒体裏面側から前記搬送面に負圧吸引されて搬送されることを特徴とする。
【００３３】
このように、吸着して乾燥することにより、カールやカックルの発生を抑制することができる。
【００３４】
また、請求項９に示すように、前記各工程において、前記記録媒体は、回転する各搬送ドラムの外周面上に保持されて搬送され、各工程の各搬送ドラム間において、前記記録媒体は、各搬送ドラム間に配置された中間搬送体によって、前段の工程の搬送ドラムから、それに引き続く後段の工程の搬送ドラムへ受け渡されることを特徴とする。
【００３５】
このように、ドラム搬送することにより高生産性、高画質性を実現することが可能となる。
【００３６】
また、請求項１０に示すように、前記描画工程において描画された前記記録媒体は、前記描画工程の搬送ドラムと前記乾燥工程の搬送ドラムの間に配置された中間搬送体によって、前記描画工程の搬送ドラムから前記乾燥工程の搬送ドラムへ受け渡される間に半硬化されることを特徴とする。
【００３７】
このように、中間搬送体で搬送している時に半硬化することにより、インクジェットヘッドから離れた渡し胴搬送手段によって半硬化させることになり、インクジェットヘッドのノズル面でインクが硬化することにより吐出不良を低減することができる。
【００３８】
また、請求項１１に示すように、前記乾燥工程の搬送ドラムは、その外周面に前記記録媒体を裏面から負圧吸引するための複数の吸引孔が形成され、前記記録媒体を前記外周面上に吸着して搬送することを特徴とする。
【００３９】
このようにドラム搬送の場合にも吸着して乾燥することにより、カールやカックルの発生を抑制することができる。
【発明の効果】
【００４０】
以上説明したように、本発明によれば、インクに含まれる水や溶媒の記録媒体内部への浸透を抑制し、カールやカックルの発生を防止するとともに、乾燥効率の向上、記録の高速化を図るとともに、色ずれや画像ずれを防止して、高画質化を達成することができる。
【図面の簡単な説明】
【００４１】
【図１】本発明に係るインクジェット記録装置の一実施形態を示す概略構成図である。
【図２】本実施形態のインクジェット記録装置のシステム構成を示す要部ブロック図である。
【図３】本実施形態のインクジェット記録装置の主要部を示す構成図である。
【図４】ベルト搬送手段を備えたインクジェット記録装置を示す概略構成図である。
【発明を実施するための形態】
【００４２】
以下、添付図面を参照して、本発明に係るインクジェット記録装置及びインクジェット記録方法について詳細に説明する。
【００４３】
図１は、本発明に係るインクジェット記録装置の一実施形態を示す概略構成図である。
【００４４】
図１に示すように、本実施形態のインクジェット記録装置１００は、主として、給紙部１１２、処理液付与部１１４、描画部１１６、乾燥部１１８、定着部１２０、及び排紙部１２２を備えて構成されている。
【００４５】
このインクジェット記録装置１００は、描画部１１６の圧胴（描画ドラム１７０）に保持された記録媒体Ｐの記録面にインクジェットヘッド１７２（１７２Ｍ（マゼンタ）、１７２Ｋ（ブラック）、１７２Ｃ（シアン）、１７２Ｙ（イエロー））から複数色の水性紫外線硬化型のインクを打滴して所望のカラー画像を形成する圧胴直描方式のインクジェット記録装置であり、インクの打滴前に記録媒体Ｐ上に処理液（インク組成物中の成分を凝集させる凝集剤を含む）を付与し、処理液とインク液を反応させて記録媒体Ｐ上に画像形成を行う２液反応（凝集）方式が適用されたオンデマンドタイプの画像形成装置である。
【００４６】
給紙部１１２は、記録媒体Ｐを処理液付与部１１４に供給する機構であり、当該給紙部１１２には、枚葉紙である記録媒体Ｐが積層されている。給紙部１１２には、給紙トレイ１５０が設けられ、この給紙トレイ１５０から記録媒体Ｐが一枚ずつ処理液付与部１１４に給紙されるようになっている。ここで記録媒体Ｐの浮き上がりを防止するために、給紙トレイ１５０は外面に吸引孔を設けるとともに、吸引孔から吸引を行う吸引手段を接続してもよい。
【００４７】
本実施形態のインクジェット記録装置１００においては、記録媒体Ｐとして、紙種や大きさ（用紙サイズ）の異なる複数種類の記録媒体Ｐを使用することができる。給紙部１１２において各種の記録媒体Ｐをそれぞれ区別して集積する複数の用紙トレイ（図示省略）を備え、これら複数の用紙トレイの中から給紙トレイ１５０に送る用紙を自動で切り換える態様も可能であるし、必要に応じてオペレータが用紙トレイを選択し、もしくは交換する態様も可能である。なお、本例では、記録媒体Ｐとして、枚葉紙（カット紙）を用いるが、連続用紙（ロール紙）から必要なサイズに切断して給紙する構成も可能である。
【００４８】
処理液付与部１１４は、記録媒体Ｐの記録面に処理液を付与する機構である。処理液は、描画部１１６で付与されるインク組成物中の成分を凝集させる凝集剤を含み、処理液とインクとが接触することによりインクと凝集反応を起こし、インクは色材と溶媒との分離が促進され、インク着弾後の滲みや着弾干渉（合一）あるいは混色が発生せず高品位画像の形成が可能となる。なお、処理液としては、凝集剤の他に必要に応じてさらに他の成分を用いて構成することもできる。インク組成物とともに処理液を用いることで、インクジェット記録を高速化でき、高速記録しても濃度、解像度の高い描画性（例えば、細線や微細部分の再現性）に優れた画像が得られる。なお、処理液については、後で詳しく述べる。
【００４９】
図１に示すように、処理液付与部１１４は、給紙ドラム１５２、処理液ドラム１５４、及び処理液塗布装置１５６を備えている。処理液ドラム１５４は、記録媒体Ｐを保持し、回転搬送させるドラムである。処理液ドラム１５４は、その外周面に爪形状の保持手段（グリッパー）１５５を備え、この保持手段１５５の爪と処理液ドラム１５４の外周面の間に記録媒体Ｐを挟み込むことによって記録媒体Ｐの先端を保持できるようになっている。処理液ドラム１５４には、その外周面に吸引孔を設けるとともに、吸引孔から吸引を行う吸引手段を接続してもよい。これにより記録媒体Ｐを処理液ドラム１５４の外周面に密着保持することができる。
【００５０】
処理液ドラム１５４の外側には、その外周面に対向して処理液塗布装置１５６が設けられる。記録媒体Ｐは、処理液塗布装置１５６によって記録面に処理液が塗布される。
【００５１】
処理液付与部１１４で処理液が付与された記録媒体Ｐは、処理液ドラム１５４から第１渡し胴搬送手段１２６を介して描画部１１６の描画ドラム１７０へ受け渡される。第１渡し胴搬送手段１２６は、その下側にリブ付きのガイド部材１２７を備え、回転軸を挟んで１８０度対向する方向に延びたアームの先端部に設けられた保持爪によって記録媒体Ｐの先端部を把持して、回転軸の回りを回転し、記録媒体Ｐの後端部はフリーの状態で、ガイド部材１２７に沿って記録媒体Ｐを記録面の裏面側が凸になるように（第１渡し胴搬送手段１２６の内側を向く記録媒体Ｐの記録面は凹になるように）して搬送するように構成されている。
【００５２】
描画部１１６は、描画ドラム１７０、及びインクジェットヘッド１７２Ｍ、１７２Ｋ、１７２Ｃ、１７２Ｙを備えている。また、インクジェットヘッド１７２Ｍ、１７２Ｋ、１７２Ｃ、１７２Ｙの手前側（描画ドラム１７０の回転方向上流側）に記録媒体Ｐの皺を取るための用紙抑えローラを設置するようにしても良い。
【００５３】
描画ドラム１７０は、処理液ドラム１５４と同様に、その外周面に爪形状の保持手段（グリッパー）１７１を備え、記録媒体の先端部を保持固定するようになっている。また、描画ドラム１７０は、外周面に多数の吸引孔を有し、負圧によって記録媒体Ｐを描画ドラム１７０の外周面に吸着させる。これにより、用紙浮きによるヘッドとの接触が回避され、用紙ジャムが防止される。また、ヘッドとのクリアランス変動による画像ムラが防止される。
【００５４】
このように描画ドラム１７０に固定された記録媒体Ｐは、記録面が外側を向くようにして、その記録面側が凸の状態で搬送され、この記録面にインクジェットヘッド１７２（１７２Ｍ、１７２Ｋ、１７２Ｃ、１７２Ｙ）から水性紫外線硬化型のインクが打滴される。
【００５５】
インクジェットヘッド１７２（１７２Ｍ、１７２Ｋ、１７２Ｃ、１７２Ｙ）は、それぞれ記録媒体Ｐにおける画像形成領域の最大幅に対応する長さを有するフルライン型のインクジェット方式の記録ヘッド（インクジェットヘッド）であり、そのインク吐出面には、画像形成領域の全幅にわたってインク吐出用のノズルが複数配列されたノズル列が形成されている。各インクジェットヘッド１７２Ｍ、１７２Ｋ、１７２Ｃ、１７２Ｙは、記録媒体Ｐの搬送方向（描画ドラム１７０の回転方向）と略直交する方向に延在するように設置されている。
【００５６】
描画ドラム１７０上に密着保持された記録媒体Ｐの記録面に向かって各インクジェットヘッド１７２Ｍ、１７２Ｋ、１７２Ｃ、１７２Ｙから、対応する色インクの液滴が吐出されることにより、処理液付与部１１４で予め記録面に付与された処理液にインクが接触し、インク中に分散する色材（顔料）が凝集され、色材凝集体が形成される。これにより、記録媒体Ｐ上での色材流れなどが防止され、記録媒体Ｐの記録面に画像が形成されるようになっている。
【００５７】
なお、本例では、ＣＭＹＫの標準色（４色）の構成を例示したが、インク色や色数の組み合わせについては本実施形態には限定されず、必要に応じて淡インク、濃インク、特別色インクを追加してもよい。例えば、ライトシアン、ライトマゼンタなどのライト系インクを吐出するインクジェットヘッドを追加する構成も可能であり、各色ヘッドの配置順序も特に限定されない。
【００５８】
以上のように構成された描画部１１６により、記録媒体Ｐに対してシングルパスで描画を行うことができる。これにより、高速記録及び高速出力が可能であり、生産性を高めることができる。
【００５９】
描画部１１６で画像が形成された記録媒体Ｐは、描画ドラム１７０から第２渡し胴搬送手段１２８を介して、乾燥部１１８の乾燥ドラム１７６へ受け渡される。
【００６０】
第２渡し胴搬送手段１２８も前述した第１渡し胴搬送手段１２６と同様に、その下側にリブ付きのガイド部材１２９を備え、回転軸を挟んで１８０度対向する方向に延びたアームの先端部に設けられた保持爪によって記録媒体Ｐの先端部を把持して、回転軸の回りを回転し、記録媒体Ｐの後端部はフリーの状態で、ガイド部材１２９に沿って記録媒体Ｐを記録面の裏面側が凸になるように（第２渡し胴搬送手段１２８の内側を向く記録媒体Ｐの記録面は凹になるように）して搬送するように構成されている。なお、この第２渡し胴搬送手段１２８は、請求項３及び４でいう第１の中間搬送体に相当し、その内部に半硬化手段が設けられているが、これについて詳しくは後述する。
【００６１】
乾燥部１１８は、色材凝集作用により分離された溶媒に含まれる水分を乾燥させる機構であり、図１に示すように、乾燥ドラム１７６及び溶媒乾燥装置１７８を備えている。
【００６２】
乾燥ドラム１７６は、処理液ドラム１５４と同様に、その外周面に爪形状の保持手段（グリッパー）１７７を備え、この保持手段１７７によって記録媒体Ｐの先端を保持するとともに、ドラム外周表面に吸引孔（図示省略）を有し、負圧により記録媒体Ｐの裏面側を乾燥ドラム１７６に吸着できるようになっている。
【００６３】
乾燥ドラム１７６は、その外周面に吸引孔を設けるとともに、吸引孔から吸引を行う吸引手段を有している。これにより記録媒体Ｐを乾燥ドラム１７６の周面に密着保持することができる。また、負圧吸引を行うことにより、記録媒体Ｐを乾燥ドラム１７６に拘束することができるので、記録媒体Ｐのカックルを防止することができる。
【００６４】
また乾燥ドラム１７６の外周面に対向するように、送風手段１８０（平滑化手段）と溶媒乾燥装置１７８が設けられている。送風手段１８０は、記録媒体Ｐの搬送方向下流側に送風し、記録媒体Ｐの皺を取り、記録媒体Ｐを乾燥ドラム１７６へ安定して吸着させる働きを有する。すなわち、送風手段１８０は、記録媒体Ｐの後端部側に向かって斜めに風を当てて、保持手段１７７によってその先端を保持された記録媒体Ｐを、先端側から後端側に向かって平滑化し、皺の発生を抑制して、より確実に吸着されるようにする。
【００６５】
溶媒乾燥装置１７８は、乾燥ドラム１７６の外周面に対向する位置に配置され、ＩＲヒータ等とファンの組み合わせを複数配置した熱風乾燥手段１８２で構成されている。熱風乾燥手段１８２の各熱風噴出しノズルから記録媒体Ｐに向けて吹き付けられる熱風の温度と風量を適宜調節することにより、様々な乾燥条件を実現することができる。記録媒体Ｐは記録面が外側を向き、記録面側が凸となるように、乾燥ドラム１７６の外周面に吸着拘束されて搬送され、この記録面に対して上記ＩＲヒータ及び温風噴出しノズルによる乾燥処理が行われる。
【００６６】
乾燥部１１８で乾燥処理が行われた記録媒体Ｐは、乾燥ドラム１７６から第３渡し胴搬送手段１３０を介して定着部１２０の定着ドラム１８４に受け渡される。
【００６７】
第３渡し胴搬送手段１３０も、第１渡し胴搬送手段１２６や第２渡し胴搬送手段１２８と同様に、その下側にリブ付きのガイド部材１３１を備え、回転軸を挟んで１８０度対向する方向に延びたアームの先端部に設けられた保持爪によって記録媒体Ｐの先端部を把持して、回転軸の回りを回転し、記録媒体Ｐの後端部はフリーの状態で、ガイド部材１３１に沿って記録媒体Ｐを記録面の裏面側が凸になるように（第３渡し胴搬送手段１３０の内側を向く記録媒体Ｐの記録面は凹になるように）して搬送するように構成されている。なお、この第３渡し胴搬送手段１３０は、請求項６でいう第２の中間搬送体に相当する。
【００６８】
定着部１２０は、定着ドラム１８４、押圧ローラ１８８（平滑化手段）、及び紫外線光源１９０（本硬化手段）で構成される。定着ドラム１８４は、処理液ドラム１５４と同様に、その外周面に爪形状の保持手段（グリッパー）１８５を備え、この保持手段１８５によって記録媒体Ｐの先端を保持できるようになっている。
【００６９】
定着ドラム１８４の回転により、記録媒体Ｐは記録面が外側を向くようにして搬送され、この記録面に対して、押圧ローラ１８８による平滑化処理が行われた後、紫外線光源１９０からの紫外線照射による本硬化・定着が行われる。
【００７０】
押圧ローラ１８８は、インクが乾燥された記録媒体Ｐを加圧することによって記録媒体Ｐを平滑化するものである。
【００７１】
また、紫外線光源１９０は、記録媒体Ｐ上に吐出された水性紫外線硬化型インクによって形成された画像に紫外線を照射して本硬化を行い、インクの定着を行うものである。
【００７２】
なお、定着ドラム１８４の外周面に対向して記録媒体Ｐに形成された画像の検査を行うインラインセンサを設けてもよい。インラインセンサは、記録媒体Ｐに定着された画像について、チェックパターンや水分量、表面温度、光沢度などを計測するための計測手段であり、例えばＣＣＤラインセンサを好適に用いることができる。
【００７３】
定着部１２０に続いて排紙部１２２が設けられている。排紙部１２２には、排紙ユニット１９２が設置される。定着部１２０の定着ドラム１８４から排紙ユニット１９２までの間に、渡し胴１９４、搬送チェーン１９６が設けられている。搬送チェーン１９６は、張架ローラ１９８に巻き掛けられている。定着ドラム１８４を通過した記録媒体Ｐは、渡し胴１９４を介して、搬送チェーン１９６に送られ、搬送チェーン１９６から排紙ユニット１９２へと受け渡される。
【００７４】
また、図１には示されていないが、本例のインクジェット記録装置１００は、上記構成の他、各インクジェットヘッド１７２Ｍ、１７２Ｋ、１７２Ｃ、１７２Ｙにインクを供給するインク貯蔵／装填部、処理液付与部１１４に対して処理液を供給する手段を備えるとともに、各インクジェットヘッド１７２Ｍ、１７２Ｋ、１７２Ｃ、１７２Ｙのクリーニング（ノズル面のワイピング、パージ、ノズル吸引等）を行うヘッドメンテナンス部や、用紙搬送路上における記録媒体Ｐの位置を検出する位置検出センサ、装置各部の温度を検出する温度センサなどを備えている。
【００７５】
図２は、インクジェット記録装置１００のシステム構成を示す要部ブロック図である。
【００７６】
インクジェット記録装置１００は、通信インターフェース８０、システム制御部（システムコントローラ）８２、画像メモリ８４、モータドライバ８６、ヒータドライバ８８、プリント制御部９０、メンテナンス制御部９２、ヘッドドライバ９４等を備えている。
【００７７】
通信インターフェース８０は、ホストコンピュータ９６から送られてくる画像データを受信するインターフェース部である。通信インターフェース８０にはＵＳＢ（Universal Serial Bus）、ＩＥＥＥ１３９４、イーサネット（登録商標）、無線ネットワークなどのシリアルインターフェースやセントロニクスなどのパラレルインターフェースを適用することができる。この部分には、通信を高速化するためのバッファメモリを搭載してもよい。ホストコンピュータ９６から送出された画像データは通信インターフェース８０を介してインクジェット記録装置１００に取り込まれ、一旦画像メモリ８４に記憶される。
【００７８】
画像メモリ８４は、通信インターフェース８０を介して入力された画像を一旦格納する記憶手段であり、システム制御部８２を通じてデータの読み書きが行われる。画像メモリ８４は、半導体素子からなるメモリに限らず、ハードディスクなど磁気媒体を用いてもよい。
【００７９】
システム制御部８２は、中央演算処理装置（ＣＰＵ）及びその周辺回路等から構成され、所定のプログラムにしたがってインクジェット記録装置１００の全体を制御する制御装置として機能するとともに、各種演算を行う演算装置として機能する。即ち、システム制御部８２は、通信インターフェース８０、画像メモリ８４、モータドライバ８６、ヒータドライバ８８等の各部を制御し、ホストコンピュータ９６との間やヒータ９９を制御する制御信号を生成する。
【００８０】
画像メモリ８４には、システム制御部８２のＣＰＵが実行するプログラム及び制御に必要な各種データなどが格納されている。なお、画像メモリ８４は、書き換え不能な記憶手段であってもよいし、ＥＥＰＲＯＭのような書き換え可能な記憶手段であってもよい。画像メモリ８４は、画像データの一時記憶領域として利用されるとともに、プログラムの展開領域及びＣＰＵの演算作業領域として利用するようにしてもよい。
【００８１】
また、システム制御部８２には、各種制御プログラムを格納したＥＥＰＲＯＭ８５や画像データに対して各種画像処理を施す画像処理部８７が接続されている。システム制御部８２からの指令に応じて、ＥＥＰＲＯＭ８５から制御プログラムが読み出され、実行される。なお、ＥＥＰＲＯＭ８５は、動作パラメータ等の記憶手段と兼用するようにしてもよい。
【００８２】
モータドライバ８６は、システム制御部８２からの指示にしたがってモータ９８を駆動するドライバである。図２には、インクジェット記録装置１００の各部に配置されるモータ（アクチュエータ）を代表して符号９８で表示している。例えば、図２のモータ９８には、図１の中間搬送部１２６、１２８、１３０や渡し胴１５２、処理液ドラム１５４、描画ドラム１７０、乾燥ドラム１７６、定着ドラム１８４などを駆動するモータなどが含まれる。
【００８３】
ヒータドライバ８８は、システム制御部８２からの指示にしたがって、ヒータ９９を駆動するドライバである。図２には、インクジェット記録装置１００に備えられる複数のヒータを代表して符号９９で表示している。例えば、図２に示すヒータ９９には、図１に示す処理液付与部１１４のヒータや乾燥部１１８のＩＲヒータなどが含まれる。
【００８４】
なお、システム制御部８２には、この他にメンテナンス制御部９２が接続されている。メンテナンス制御部９２は、システム制御部８２からの指示にしたがって、キャップ及びクリーニングブレードを含むメンテナンスユニット（図示省略）を駆動するメンテナンス駆動部９３を制御するものである。
【００８５】
プリント制御部９０は、システム制御部８２の制御に従い、画像メモリ８４内の画像データから印字制御用の信号を生成するための各種加工、補正などの処理を行う信号処理機能を有し、印字に先立ち、処理液付与ドライバ９５を制御して、処理液塗布装置１５６から記録媒体Ｐに対して処理液を付与するとともに、生成した印字データ（ドットデータ）をヘッドドライバ９４に供給する制御部である。プリント制御部９０において所要の信号処理が施され、該画像データに基づいて、ヘッドドライバ９４を介してインクジェットヘッド１７２（１７２Ｍ、１７２Ｋ、１７２Ｃ、１７２Ｙ）の吐出液滴量（打滴量）や吐出タイミングの制御が行われる。これにより、所望のドットサイズやドット配置が実現される。
【００８６】
また、システム制御部８２には、紫外線光源（本硬化手段）１９０及び半硬化手段１８９を制御するＵＶ照射手段ドライバ９７が接続されている。
【００８７】
図３に、本実施形態のインクジェット記録装置１００の主要部である処理液付与部１１４、描画部１１６、乾燥部１１８及び定着部１２０を拡大して示し、本発明に係るインクジェット記録装置についてさらに詳しく説明する。
【００８８】
図３に示すように、処理液ドラム１５４、第１渡し胴搬送手段１２６、描画ドラム１７０、第２渡し胴搬送手段１２８（第１の中間搬送体）、乾燥ドラム１７６、第３渡し胴搬送手段１３０（第２の中間搬送体）及び定着ドラム１８４が、並んで配置され、また、第２渡し胴搬送手段１２８（第１の中間搬送体）の内部には半硬化手段１８９が設けられ、定着ドラム１８４には紫外線光源（本硬化手段）１９０が設けられている。そして、それぞれのドラム及び搬送手段により記録媒体Ｐを搬送しながら、処理液付与、描画、半硬化、乾燥、本硬化（定着）が順に行われるようになっている。
【００８９】
なお、ここでいう本硬化とは、上記本硬化手段１９０の下流側搬送工程におけるローラや搬送ガイド等と画像面との擦れや、プリント集積部におけるプリント同士の擦れ、あるいは仕上がったプリントを実際に取り扱う時に種々の物体による擦れ等のハンドリングを行っても画像劣化しない程度に記録媒体Ｐ上のインク液滴が硬化している状態をいう。従って、本硬化とは必ずしも硬化反応が完了していることを意味するものではない。
【００９０】
また、半硬化とは、まだ上記のような意味で本硬化しておらず、柔軟なインク状態となる程度に記録媒体Ｐ上のインクを硬化させることをいう。
【００９１】
本実施形態のインクジェット記録装置１００は、記録媒体Ｐの記録面上に画像を記録するものであり、記録媒体Ｐとしては、特に制限はないが、一般のオフセット印刷などに用いられる、所謂上質紙、コート紙、アート紙などのセルロースを主体とする一般印刷用紙を用いることができる。セルロースを主体とする一般印刷用紙は、水性インクを用いた一般のインクジェット法による画像記録においては比較的インクの吸収、乾燥が遅く、打滴後に色材移動が起こりやすく、画像品質が低下しやすいが、本実施形態のインクジェット記録装置１００では、色材移動を抑制して色濃度、色相に優れた高品位の画像記録が可能である。
【００９２】
なお、記録媒体の中でも、一般のオフセット印刷などに用いられる所謂塗工紙が好ましい。塗工紙は、セルロースを主体とした一般に表面処理されていない上質紙や中性紙等の表面にコート材を塗布してコート層を設けたものである。塗工紙は、通常の水性インクジェットによる画像形成においては、画像の光沢や擦過耐性など、品質上の問題を生じやすいが、本実施形態のインクジェット記録装置１００では、光沢ムラが抑制されて光沢性、耐擦性の良好な画像を得ることができる。特に、原紙と無機顔料を含むコート層とを有する塗工紙を用いるのが好ましく、原紙とカオリン及び／又は重炭酸カルシウムを含むコート層とを有する塗工紙を用いるのがより好ましい。具体的には、アート紙、コート紙、軽量コート紙、又は微塗工紙がより好ましい。
【００９３】
前述したように、処理液付与部１１４は、記録媒体Ｐの記録面に処理液を付与するものである。
【００９４】
処理液塗布装置１５６によって記録面に処理液が塗布される処理液の膜厚は、描画部１１６のインクジェットヘッド１７２Ｍ、１７２Ｋ、１７２Ｃ、１７２Ｙから打滴されるインクの液滴径より充分に小さいことが望ましい。例えば、インクの打滴量が２ｐｌ（ピコリットル）のときには、液滴の平均直径は１５．６μｍである。このとき、処理液の膜厚が大きい場合には、インクドットが記録媒体Ｐの表面に接触することなく、処理液内で浮遊する。そこで、インクの打滴量が２ｐｌのときに着弾ドット径を３０μｍ以上得るためには、処理液の膜厚を３μｍ以下にすることが望ましい。
【００９５】
処理液塗布装置１５６は、図示は省略するが、主として処理液容器、計量ローラ、塗布ローラによって構成されている。処理液容器には、処理液が貯留されており、この処理液に計量ローラの一部が浸漬される。計量ローラとしては、金属ローラ及び金属ローラ表面にセラミックコーティングを施したローラ周面に一定の線数で規則正しく多数のセルが形成されたアニロックスローラが好適に用いられる。金属ローラの材質としては鉄及びＳＵＳ等が用いられる。材質として鉄を用いた場合には、表面の親水性の向上、耐磨耗性の向上及び防錆性を向上させるため、表面にクロム等のメッキを施してもよい。アニロックスローラのセル構造としては、例えば、線数１５０線以上４００線以下、セル深さ２０μｍ以上７５μｍ以下、セル容量３０ｃｍ３／ｍ２以上６０ｃｍ３／ｍ２以下のものを好適に用いることができる。計量ローラの直径は、例えば２０ｍｍ以上１００ｍｍ以下で形成される。
【００９６】
計量ローラは回動自在に支持されるとともに不図示のモータに連結され、一定の速度で回転駆動される。従って、処理液容器内の処理液を計量ローラの表面に付着させ、この処理液を塗布ローラの表面に転移させることができる。計量ローラの回転方向は塗布ローラと同方向であり、ローラ外周の周速度は塗布ローラと同速、もしくは速度差を設けてもよい。速度差を設ける場合には塗布ローラの周速度に対して計量ローラの周速度を８０％以上１４０％以下が好適に用いられる。塗布ローラと計量ローラとの周速度を調整することにより、計量ローラから塗布ローラへの転移率を調整することが可能であり、記録媒体Ｐへの塗布膜厚を調整することができる。
【００９７】
計量ローラの表面には、計量用のドクターブレードが当接するように設けられている。ドクターブレードは、計量ローラと塗布ローラとの接触位置に対して、計量ローラの回転方向の上流側に配置され、計量ローラの表面の塗布液を掻き落として計量できるようになっている。これにより、ドクターブレードで計量された塗布液を塗布ローラに供給することができる。
【００９８】
塗布ローラはＥＰＤＭやシリコンなどのゴム層を表面に有するゴムローラが好適に用いられる。塗布ローラは回動自在に支持されるとともに不図示のモータに連結され、一定の速度で回転駆動される。塗布ローラの回転方向は処理液ドラム１５４と同方向であり、ローラ外周の周速度も処理液ドラム１５４と同速度で回転する。これによって計量ローラから塗布ローラへ転移された処理液が処理液ドラム１５４上に保持された記録媒体Ｐに塗布される。
【００９９】
このように、処理液塗布装置１５６はローラで処理液を塗布するようにしたため、処理液を均一に、かつ塗布量を少なく記録媒体Ｐに塗布することが可能である。また、処理液塗布装置１５６は、処理液塗布の搬送ドラム（処理液ドラム１５４）を汚さないようにするために、処理液塗布手段のローラを記録媒体毎に接触及び離間させるようになっていることが好ましい。処理液ドラム１５４は、記録媒体Ｐの先端を保持する保持爪で記録媒体Ｐを搬送する。これにより、記録媒体Ｐの高速搬送が可能であり、また用紙搬送ジャムの発生を低減することができる。
【０１００】
なお、処理液ドラム１５４の外周面に対向してＩＲヒータ及び温風噴出しノズルを設けて、記録媒体Ｐに塗布された処理液を乾燥するようにしてもよい。ＩＲヒータや温風噴出しノズルを設けた場合には、ＩＲヒータは高温（例えば１８０℃）に制御され、温風噴出しノズルは高温（例えば７０℃）の温風を一定の風量（例えば９ｍ３／分）で記録媒体Ｐに向けて吹き付けるように構成される。このＩＲヒータ及び温風噴出しノズルによる加熱によって、処理液の溶媒中の水分が蒸発され、処理液の薄膜層が記録媒体Ｐの記録面に形成される。このように処理液を薄層化することによって、描画部１１６で打滴するインクのドットが記録媒体Ｐの記録面と接触し、必要なドット径が得られるとともに、薄層化した処理液成分と反応して色材凝集が起こり、記録媒体Ｐの記録面に固定する作用が得られやすい。なお、処理液ドラム１５４を所定の温度（例えば５０℃）に制御するようにしてもよい。
【０１０１】
また、処理液は、描画部１１６で付与されるインク組成物中の成分を凝集させる凝集剤を含んでいる。
【０１０２】
凝集剤としては、インク組成物のｐＨを変化させることができる化合物であっても、多価金属塩であっても、ポリアリルアミン類であってもよい。本実施形態においては、インク組成物の凝集性の観点から、インク組成物のｐＨを変化させることができる化合物が好ましく、インク組成物のｐＨを低下させ得る化合物がより好ましい。インク組成物のｐＨを低下させ得る化合物としては、水溶性の高い酸性物質（リン酸、シュウ酸、マロン酸、クエン酸、もしくはこれらの化合物の誘導体又はこれらの塩など）が好適に挙げられる。
【０１０３】
このように、凝集剤としては、水溶性の高い酸性物質が好ましく、凝集性を高め、インク全体を固定化させる点で、有機酸が好ましく、２価以上の有機酸がより好ましい。さらに、２価以上３価以下の酸性物質が特に好ましい。この２価以上の有機酸としては、その第１ｐＫａが３．５以下の有機酸が好ましく、さらに３．０以下の有機酸がより好ましく、具体的には、リン酸、シュウ酸、マロン酸、クエン酸などが好適に挙げられる。
【０１０４】
凝集剤で、酸性物質は１種単独で用いてもよく、２種以上を併用してもよい。これにより、凝集性を高め、インク全体を固定化することができる。インク組成物を凝集させる凝集剤の処理液中における含有量としては、１〜５０質量％が好ましく、より好ましくは、３〜４５質量％であり、さらに好ましくは、５〜４０質量％の範囲である。また、インク組成物のｐＨ（２５℃）が８．０以上であって、処理液のｐＨ（２５℃）が０．５〜４の範囲が好ましい。これにより、画像濃度、解像度及びインクジェット記録の高速化を図ることができる。
【０１０５】
また、処理液には、その他の添加物を分有することができる。この添加物としては、乾燥防止剤（湿潤剤）、褪色防止剤、乳化安定剤、浸透促進剤、紫外線吸収剤、防腐剤、防黴剤、ｐＨ調整剤、表面張力調整剤、消泡剤、粘度調整剤、分散剤、分散安定剤、防錆剤、キレート剤などの公知の添加剤が挙げられる。
【０１０６】
上述したように本実施形態では、ローラによる塗布方式を適用した構成を例示したが、処理液の付与は、塗布法に限定されず、インクジェット法や浸漬法などの公知の方法を適用して行うことができる。なお、塗布法としては、バーコーター、エクストルージョンダイコーター、エアードクターコーター、ブレードコーター、ロッドコーター、ナイフコーター、スクイズコーター、リバースロールコーター等を用いた公知の塗布方法によって行うことができる。
【０１０７】
なお、処理液付与工程は、インク組成物を用いたインク付与工程の前又は後のいずれに設けてもよい。本実施形態においては、処理液付与工程で処理液を付与した後にインク付与工程を設けた態様が好ましい。具体的には、記録媒体Ｐ上に、インク組成物を付与する前に、予めインク組成物中の顔料及び／又は自己分散性ポリマーの粒子を凝集させるための処理液を付与しておき、記録媒体Ｐ上に付与された処理液に接触するようにインク組成物を付与して画像化する態様が好ましい。これにより、インクジェット記録を高速化でき、高速記録しても濃度、解像度の高い画像を得ることができる。
【０１０８】
また処理液の付与量としては、インク組成物を凝集可能であれば特に制限はないが、好ましくは、凝集剤の付与量が０．１ｇ／ｍ２以上となる量とすることができる。中でも、凝集剤の付与量が０．２〜０．７ｇ／ｍ２となる量が好ましい。凝集剤は、付与量が０．１ｇ／ｍ２以上であるとインク組成物の種々の使用形態に応じ良好な高速凝集性が保てる。また、凝集剤の付与量が０．７ｇ／ｍ２以下であることは、付与した記録媒体Ｐの表面性に悪影響（光沢の変化等）を与えない点で好ましい。
【０１０９】
処理液付与部１１４は、処理液ドラム１５４の外周面に設けられた保持手段１５５により記録媒体Ｐの先端部を保持して搬送しながら、処理液塗布装置１５６により、処理液を計量しつつ記録媒体Ｐに処理液を塗布する。
【０１１０】
処理液付与部１１４で処理液が付与された記録媒体Ｐは、第１渡し胴搬送手段１２６によって次の描画部１１６へ搬送される。記録媒体Ｐは、第１渡し胴搬送手段１２６の保持爪（図示省略）によってその先端部を保持されて、記録面が内側を向き、裏面側がガイド部材１２７に沿って凸形状となるように搬送される。
【０１１１】
また、第１渡し胴搬送手段１２６は、その内部（回転軸付近）に熱風乾燥手段（図示省略）を有し、搬送中内側を向いている記録媒体Ｐの記録面（表面）側に熱風を当てて、表面に付与された処理液を乾燥させる。これにより、描画部１１６において記録媒体Ｐにインクが打滴された時、インク付着時における記録媒体Ｐ上での着弾インクの移動が防止される。
【０１１２】
描画部１１６の描画ドラム１７０は、第１渡し胴搬送手段１２６によって搬送されてきた記録媒体Ｐの先端部を、描画ドラム１７０外周面に設けられた保持手段１７１により保持するとともに、描画ドラム１７０外周面に設けられた吸引孔によって記録媒体Ｐを描画ドラム１７０外周面に吸着、固定して搬送する。そして、描画ドラム１７０の外周面に固定された記録媒体Ｐの、処理液が付与されている表面（記録面）に向けて、インクジェットヘッド１７２Ｍ、１７２Ｋ、１７２Ｃ、１７２Ｙから水性紫外線硬化型のインクが打滴される。
【０１１３】
ここで、本発明において用いられるインク（水性紫外線硬化型インク）について説明する。
【０１１４】
水性紫外線硬化型インクは、顔料、ポリマー粒子、及び活性エネルギー線により重合する水溶性の重合性化合物を含んでいる。これにより、紫外線を照射することで硬化させることが可能であり、耐擦性に優れ膜強度が高くなっている。
【０１１５】
本発明におけるインク組成物は、顔料を含んでおり、必要に応じて、さらに分散剤や界面活性剤、その他の成分を用いて構成することができる。インク組成物は、色材成分として顔料の少なくとも一種を含有する。顔料としては、特に制限はなく、目的に応じて適宜選択することができ、例えば、有機顔料、無機顔料のいずれであってもよい。顔料は、水に殆ど不溶であるか又は難溶である顔料であることが、インク着色性の点で好ましい。また、顔料は、その表面の少なくとも一部がポリマー分散剤で被覆された水分散性顔料であることが好ましい。
【０１１６】
本発明のインク組成物は、分散剤の少なくとも一種を含有することができる。前記顔料の分散剤としては、ポリマー分散剤又は低分子の界面活性剤型分散剤のいずれでもよい。また、ポリマー分散剤は、水溶性の分散剤又は非水溶性の分散剤のいずれでもよい。
【０１１７】
ポリマー分散剤の重量平均分子量は、３，０００〜１００，０００が好ましく、より好ましくは、５，０００〜５０，０００であり、さらに好ましくは、５，０００〜４０，０００であり、特に好ましくは、１０，０００〜４０，０００である。
【０１１８】
ポリマー分散剤の酸価としては、処理液が接触したときの凝集性が良好である観点から、１００ＫＯＨｍｇ／ｇ以下が好ましい。さらには、酸価は、２５〜１００ＫＯＨｍｇ／ｇがより好ましく、２５〜８０ＫＯＨｍｇ／ｇがさらに好ましく、３０〜６５ＫＯＨｍｇ／ｇが特に好ましい。ポリマー分散剤の酸価が２５以上であると、自己分散性の安定性が良好になる。
【０１１９】
ポリマー分散剤は、自己分散性と処理液が接触した時の凝集速度の観点から、カルボキシル基を有するポリマーを含むことが好ましく、カルボキシル基を有し、酸価が２５〜８０ＫＯＨｍｇ／ｇのポリマーを含むことがより好ましい。
【０１２０】
本実施形態においては、画像の耐光性や品質などの観点から、顔料と分散剤とを含むことが好ましく、有機顔料とポリマー分散剤とを含むことがより好ましく、さらに有機顔料とカルボキシル基を含むポリマー分散剤とを含むことが特に好ましい。また、顔料は、凝集性の観点からカルボキシル基を有するポリマー分散剤に被覆され、水不溶性であることが好ましい。さらに、凝集性の観点からは、後述の自己分散性ポリマーの粒子の酸価の方が、前記ポリマー分散剤の酸価よりも小さいことが好ましい。
【０１２１】
顔料の平均粒子径としては、１０〜２００ｎｍが好ましく、１０〜１５０ｎｍがより好ましく、１０〜１００ｎｍがさらに好ましい。平均粒子径は、２００ｎｍ以下であると色再現性が良好になり、インクジェット法で打滴する際の打滴特性が良好となり、１００ｎｍ以下であると耐光性が良好になる。また、色材の粒径分布に関しては、特に制限はなく、広い粒径分布又は単分散性の粒径分布のいずれであってもよい。また、単分散性の粒径分布を持つ色材を２種以上混合して使用してもよい。
【０１２２】
なお、顔料の平均粒子径及び粒径分布は、ナノトラック粒度分布測定装置ＵＰＡ−ＥＸ１５０（日機装（株）製）を用いて、動的光散乱法により体積平均粒径を測定することにより求められるものである。
【０１２３】
顔料は、１種単独で、又は２種以上を組み合わせて使用してもよい。顔料のインク組成物中における含有量としては、画像濃度の観点から、インク組成物に対して、１〜２５質量％であることが好ましく、２〜２０質量％がより好ましく、５〜２０質量％がさらに好ましく、５〜１５質量％が特に好ましい。
【０１２４】
（ポリマー粒子）
本発明におけるインク組成物は、ポリマー粒子の少なくとも一種を含有することができる。このポリマー粒子は、後述の処理液又はこれを乾燥させた領域と接触した際に分散不安定価して凝集し、インクを増粘させることによりインク組成物を固定化する機能を有し、インク組成物の記録媒体への定着性及び画像の耐擦過性をより向上させることができる。
【０１２５】
凝集剤と反応するために、アニオン性の表面電荷を有するポリマー粒子が用いられ、充分な反応性、吐出安定性が得られる範囲で、広く一般に知られているラテックスが用いられるが、特に自己分散性のポリマー粒子を用いることが好ましい。
【０１２６】
（自己分散性ポリマー粒子）
本発明におけるインク組成物は、ポリマー粒子として、自己分散性ポリマー粒子の少なくとも一種を含有することが好ましい。この自己分散性ポリマーは、後述の処理液又はこれを乾燥させた領域と接触した際に分散不安定化して凝集しインクを増粘させることによりインク組成物を固定化する機能を有し、インク組成物の記録媒体への定着性及び画像の耐擦過性をより向上させることができる。また、自己分散性ポリマーは、吐出安定性及び前記顔料を含む系の液安定性（特に分散安定性）の観点からも好ましい樹脂粒子である。
【０１２７】
自己分散性ポリマーの粒子とは、他の界面活性剤の不存在下に、ポリマー自身が有する官能基（特に酸性基又はその塩）によって、水性媒体中で分散状態となり得る水不溶性ポリマーであって、遊離の乳化剤を含有しない水不溶性ポリマーの粒子を意味する。
【０１２８】
本発明における自己分散性ポリマーの酸価としては、処理液が接触した時の凝集性が良好である観点から、５０ＫＯＨｍｇ／ｇ以下が好ましい。さらには、この酸価は２５〜５０ＫＯＨｍｇ／ｇがより好ましく、３０〜５０ＫＯＨｍｇ／ｇがさらに好ましい。自己分散性ポリマーの酸価が２５以上であると、自己分散性の安定性が良好になる。
【０１２９】
本発明における自己分散性ポリマーの粒子は、自己分散性と処理液が接触した時の凝集速度の観点から、カルボキシル基を有するポリマーを含むことが好ましく、カルボキシル基を有し、酸価が２５〜５０ＫＯＨｍｇ／ｇのポリマーを含むことがより好ましく、カルボキシル基を有し、酸価が３０〜５０ＫＯＨｍｇ／ｇのポリマーを含むことがより好ましい。
【０１３０】
自己分散性ポリマーの粒子を構成する水不溶性ポリマーの分子量としては、重量平均分子量で３，０００〜２０万であることが好ましく、５，０００〜１５万であることがより好ましく、１０，０００〜１０万であることがさらに好ましい。重量平均分子量を３，０００以上とすることで水溶性成分量を効果的に抑制することができる。また、重量平均分子量を２０万以下とすることで、自己分散安定性を高めることができる。
【０１３１】
なお、重量平均分子量は、ゲル透過クロマトグラフ（ＧＰＣ）で測定される。ＧＰＣは、ＨＬＣ−８２２０ＧＰＣ（東ソー（株）製）を用い、カラムとして、ＴＳＫｇｅＬ  ＳｕｐｅｒＨＺＭ−Ｈ、ＴＳＫｇｅＬ  ＳｕｐｅｒＨＺ４０００、ＴＳＫｇｅＬ  ＳｕｐｅｒＨＺ２０００（東ソー（株）製、４．６ｍｍＩＤ×１５ｃｍ）を３本用い、溶離液としてＴＨＦ（テトラヒドロフラン）を用いる。また、条件としては、試料濃度を０．３５／ｍｉｎ．、流速を０．３５ｍｌ／ｍｉｎ．、サンプル注入量を１０μｌ、測定温度を４０℃とし、ＩＲ検出器を用いて行う。また、検量線は、東ソー（株）製、「標準試料ＴＳＫ  ｓｔａｎｄａｒｄ，ｐｏｌｙｓｔｒｅｎｅ」、「Ｆ−４０」、「Ｆ−２０」、「Ｆ−４」、「Ｆ−１」、「Ａ−５０００」、「Ａ−２５００」、「Ａ−１０００」、「ｎ−プロピルベンゼン」の８サンプルから作製する。
【０１３２】
自己分散性ポリマーの粒子の平均粒子径は、体積平均粒子径で１０ｎｍ〜４００ｎｍの範囲が好ましく、１０〜２００ｎｍの範囲がより好ましく、１０〜１００ｎｍの範囲がさらに好ましい。体積平均粒子径は、１０ｎｍ以上であると製造適性が向上し、１μｍ以下であると保存安定性が向上する。
【０１３３】
なお、自己分散性ポリマーの粒子の平均粒子径及び粒径分布は、ナノトラック粒度分布測定装置ＵＰＡ−ＥＸ１５０（日機装（株）製）を用いて、動的光散乱法により体積平均粒径を測定することにより求められるものである。
【０１３４】
自己分散性ポリマーの粒子は、１種単独で又は２種以上を混合して用いることができる。自己分散性ポリマーの粒子のインク組成物中における含有量としては、凝集速度や画像の光沢性などの観点から、インク組成物に対して、１〜３０質量％であることが好ましく、５〜１５質量％であることがより好ましい。
【０１３５】
また、インク組成物中の顔料と自己分散性ポリマーの粒子との含有比率（例えば、水不溶性顔料粒子／自己分散性ポリマーの粒子）としては、画像の耐擦過性などの観点から１／０．５〜１／１０であることが好ましく、１／１〜１／４であることがより好ましい。
【０１３６】
（重合性化合物）
本発明におけるインク組成物は、活性エネルギー線により重合する水溶性の重合性化合物の少なくとも一種を含有することができる。
【０１３７】
重合性化合物としては、凝集剤と顔料、ポリマー粒子との反応を妨げない点で、ノニオン性又はカチオン性の重合性化合物が好ましい。また、水溶性とは、水に一定濃度以上溶解できることをいい、水性のインク中に（望ましくは均一に）溶解し得るものであればよい。また、水溶性有機溶剤を添加することにより溶解度が上がってインク中に（望ましくは均一に）溶解するものであってもよい。具体的には、水に対する溶解度が１０質量％以上であることが好ましく、１５質量以上であることがより好ましい。
【０１３８】
重合性化合物としては、凝集剤と顔料、ポリマー粒子との反応を妨げない点で、ノニオン性又はカチオン性の重合性化合物が好ましく、水に対する溶解度が１０質量％以上（さらには１５質量％以上）の重合性化合物が好ましい。
【０１３９】
本発明における重合性化合物としては、擦過耐性を高め得る観点から、多官能のモノマーが好ましく、２官能〜６官能のモノマーが好ましく、溶解性と擦過耐性の両立の観点から、２官能〜４官能のモノマーが好ましい。
【０１４０】
重合性化合物は、１種単独又は２種以上を組み合わせて含有することができる。
【０１４１】
重合性化合物のインク組成物中における含有量としては、顔料及び自己分散性ポリマーの粒子の合計の固形分に対して、３０〜３００質量％が好ましく、５０〜２００質量％がより好ましい。重合性化合物の含有量は、３０質量％以上であると画像強度がより向上して画像の耐擦過性に優れ、３００質量％以下であるとパイルハイトの点で有利である。
【０１４２】
インク組成物及び処理液の少なくとも一方が、さらに、活性エネルギー線により重合性化合物の重合を開始する開始剤を含む。
【０１４３】
（開始剤）
本発明におけるインク組成物は、処理液に含有するとともにあるいは含有せずに、活性エネルギー線により重合性化合物の重合を開始する開始剤の少なくとも１種を含有することができる。光重合開始剤は１種単独で又は２種以上を混合して、あるいは増感剤と併用して使用することができる。
【０１４４】
開始剤は、活性エネルギー線により重合反応を開始し得る化合物を適宜選択して含有することができ、例えば、放射線もしくは光、又は電子線により活性種（ラジカル、酸、塩基など）を発生する開始剤（例えば、光重合開始剤等）を用いることができる。
【０１４５】
開始剤を含有する場合、インク組成物中における開始剤の含有量としては、重合性化合物に対して、１〜４０質量％が好ましく、５〜３０質量％がより好ましい。開始剤の含有量は、１質量％以上であると画像の耐擦過性がより向上し、高速記録に有利であり、４０質量％以上であると吐出安定性の点で有利である。
【０１４６】
（水溶性有機溶媒）
本発明におけるインク組成物は、水溶性有機溶媒の少なくとも１種を含有することができる。水溶性有機溶媒は、乾燥防止、湿潤あるいは浸透促進の効果を得ることができる。乾燥防止には、噴射ノズルのインク吐出口においてインクが付着乾燥して凝集体ができ、目詰まりするのを防止する乾燥防止剤として用いられ、乾燥防止や湿潤には、水より蒸気圧の低い水溶性有機溶媒が好ましい。また、浸透促進には、紙へのインク浸透性を高める浸透促進剤として用いることができる。
【０１４７】
乾燥防止剤としては、水より蒸気圧の低い水溶性有機溶媒であることが好ましい。
【０１４８】
乾燥防止剤は、１種単独で用いても２種以上併用してもよい。乾燥防止剤の含有量は、インク組成物中に１０〜５０質量％の範囲とするのが好ましい。
【０１４９】
浸透促進剤としては、インク組成物を記録媒体（印刷用紙など）により良く浸透させる目的にとって好適である。浸透促進剤は、１種単独で用いても２種以上併用してもよい。浸透促進剤の含有量は、インク組成物中に５〜３０質量％の範囲であるのが好ましい。また、浸透促進剤は、画像の滲み、紙抜け（プリントスルー）を起こさない量の範囲内で使用することが好ましい。
【０１５０】
（水）
インク組成物は、水を含有するものであるが、水の量には特に制限はない。中でも、水の好ましい含有量は、１０〜９９質量％であり、より好ましくは、３０〜８０質量％であり、さらに好ましくは、５０〜７０質量％である。
【０１５１】
（その他の添加剤）
本発明におけるインク組成物は、上記成分以外にその他の添加剤を用いて構成することができる。その他の添加剤としては、例えば、乾燥防止剤（湿潤剤）、褪色防止剤、乳化安定剤、浸透促進剤、紫外線吸収剤、防腐剤、防黴剤、ｐＨ調整剤、表面張力調整剤、消泡剤、粘度調整剤、分散剤、分散安定剤、防錆剤、キレート剤等の公知の添加剤が挙げられる。
【０１５２】
再び図３に戻り、描画部１１６において、描画ドラム１７０上に密着保持された記録媒体Ｐの記録面に向かって各インクジェットヘッド１７２Ｍ、１７２Ｋ、１７２Ｃ、１７２Ｙから、対応する色インクの液滴が吐出されることにより、処理液付与部１１４で予め記録面に付与された処理液にインクが接触し、インク中に分散する色材（顔料）が凝集され、色材凝集体が形成される。これにより、記録媒体Ｐ上での色材流れなどが防止され、記録媒体Ｐの記録面に画像が形成されるようになっている。
【０１５３】
なお、各インクジェットヘッド１７２Ｍ、１７２Ｋ、１７２Ｃ、１７２Ｙから吐出されるインクの液滴量としては、高精細な画像を得る観点で、１〜１０ｐｌ（ピコリットル）が好ましく、１．５〜６ｐｌがより好ましい。また、画像のムラ、連続階調のつながりを改良する観点で、異なる液滴量を組み合わせて吐出することも有効であり、このような場合でも本発明は好適に適用される。
【０１５４】
なお、本例では、ＣＭＹＫの標準色（４色）の構成を例示したが、インク色や色数の組み合わせについては本実施形態には限定されず、必要に応じて淡インク、濃インク、特別色インクを追加してもよい。例えば、ライトシアン、ライトマゼンタなどのライト系インクを吐出するインクジェットヘッドを追加する構成も可能であり、各色ヘッドの配置順序も特に限定されない。
【０１５５】
以上のように構成された描画部１１６により、記録媒体Ｐに対してシングルパスで描画を行うことができる。これにより、高速記録、高速出力が可能であり、生産性が高い。
【０１５６】
描画部１１６で画像が形成された記録媒体Ｐは、描画ドラム１７０から第２渡し胴搬送手段１２８（第１の中間搬送体）を介して乾燥部１１８の乾燥ドラム１７６へ受け渡される。第２渡し胴搬送手段１２８は、描画ドラム１７０から受け取った記録媒体Ｐを、保持爪（図示省略）によってその先端部を保持して、記録媒体Ｐの記録面が内側を向き、裏面側がガイド部材１２９に沿って凸形状となるようにして搬送する。
【０１５７】
第２渡し胴搬送手段１２８は、その内部に半硬化手段１８９を有し、第２渡し胴搬送手段１２８の内部を向いて搬送される記録媒体Ｐの記録面に向けて紫外光を照射して、記録面に打滴された水性紫外線硬化型インクを半硬化させる。なお、ここで半硬化とは、上述したように、まだ本硬化していない、柔軟なインク状態にすることをいう。
【０１５８】
半硬化手段１８９の光源は、特に限定されるものではなく、例えば、メタルハライドランプ、水銀ランプ、エキシマレーザ、紫外線レーザ、ブラックライト、冷陰極管、ＬＥＤ、レーザダイオード等が適用可能であり、定着部１２０の本硬化手段１９０の光源と比べて発光波長領域の狭い発光ダイオード、又はレーザダイオードが好適に用いられる。
【０１５９】
また、光源のピーク波長や発光波長領域は、使用されるインク組成物中の増感色素の吸収特性に応じて適当に選択される。
【０１６０】
半硬化手段１８９による半硬化は、描画部１１６においてインクジェットヘッド１７２によって記録媒体Ｐに打滴された水性紫外線硬化型インクを、本硬化していない柔軟なインク状態にする機能を果たすとともに、増粘によりインクに含まれる水や溶媒が記録媒体Ｐの内部に浸透することによるカールやカックルの発生を抑制する機能を果たす。
【０１６１】
なお、第２渡し胴搬送手段１２８（第１の中間搬送体）は、熱風乾燥手段を内部に有してはいない。これはこの後の乾燥部１１８（乾燥ユニット）においてカックル防止のため、拘束して乾燥させるためである。
【０１６２】
第２渡し胴搬送手段１２８（第１の中間搬送体）において半硬化手段１８９によって半硬化された記録媒体Ｐは乾燥部１１８の乾燥ドラム１７６に引き渡される。
【０１６３】
乾燥部１１８は、色材凝集作用により分離された溶媒に含まれる水分を乾燥させる機構であり、図３に示すように、乾燥ドラム１７６、及び乾燥ドラム１７６の外周面に対向する位置にＩＲヒータ等とファンの組み合わせを複数配置した熱風乾燥手段１８２で構成されている。また、熱風乾燥手段１８２の熱風を再利用可能なように整流板を設けて、熱効率向上及び排気性の向上を図るようにしてもよい。
【０１６４】
また、複数の熱風乾燥手段１８２のドラム回転方向上流側に、乾燥ドラム１７６の外周に対向して、送風手段（平滑化手段）１８０が設けられている。送風手段１８０は、記録媒体Ｐに風を吹き付けて、記録媒体Ｐの乾燥ドラム１７６への吸着を補助し、乾燥ドラム１７６に吸着される記録媒体Ｐを平滑化するためのものである。
【０１６５】
送風手段１８０の記録媒体Ｐへの送風は、記録媒体Ｐの後端で風力を大きくするように制御する。これにより記録媒体Ｐの後端での用紙浮きを防止することができる。また、送風手段１８０は、記録媒体Ｐの後端側に向かって斜めに当てるように送風する。さらに、送風手段１８０は、記録媒体Ｐの用紙幅方向の端部側に向かって斜めに風を当てるように送風する。
【０１６６】
このように、送風手段１８０は、用紙後端側に向けて、さらに幅方向後端側に向けて斜めに風を当てるようにすることで記録媒体Ｐの乾燥ドラム１７６の吸着皺を取り、均一乾燥及び均一吸着を可能とする。
【０１６７】
なお、乾燥ドラム１７６への吸着補助を、このような送風手段１８０でなく、接触手段で行おうとすると、未乾燥のインクが接触手段に転写されてしまい、画像不良となる虞がある。従って、上記のように送風手段１８０で、記録媒体Ｐの乾燥ドラム１７６への吸着補助を行うことが好ましい。
【０１６８】
乾燥ドラム１７６は、保持手段１７７によって記録媒体Ｐの先端を保持し、外周面に形成された複数の吸引孔から負圧により記録媒体Ｐを吸引吸着し、密着するように拘束して搬送する。このように乾燥ドラム１７６に吸着された記録媒体Ｐに対して、熱風乾燥手段１８２の熱風噴出ノズルから熱風を当てて、記録媒体Ｐを乾燥する。
【０１６９】
これにより、カックルの発生が防止される。また、記録媒体Ｐを乾燥ドラム１７６外周面に密着させることで、熱風乾燥手段１８２に記録媒体Ｐが接触することによるジャムの発生や用紙燃えを防止することができる。
【０１７０】
熱風乾燥手段１８２の熱風噴出しノズルは、所定の温度（例えば５０℃〜７０℃）に制御された温風を一定の風量（１２ｍ３／分）で記録媒体１２４に向けて吹き付けるように構成され、ＩＲヒータは、それぞれ所定の温度（例えば１８０℃）に制御される。これらの熱風噴出しノズル及びＩＲヒータによって、乾燥ドラム１７６に保持された記録媒体Ｐの記録面に含まれる水分が蒸発され、乾燥処理が行われる。その際、乾燥部１１８の乾燥ドラム１７６は、描画部１１６の描画ドラム１７０に対して構造上分離しているので、インクジェットヘッド１７２（１７２Ｍ、１７２Ｋ、１７２Ｃ、１７２Ｙ）において、熱乾燥によるヘッドメニスカス部の乾燥によるインクの不吐出を低減することができる。また、乾燥部１１８の温度設定に自由度があり、最適な乾燥温度を設定することができる。
【０１７１】
なお、蒸発した水分は図示を省略した排出手段によりエアとともに機外に排出することが好ましい。また、回収されたエアを冷却器（ラジエータ）などで冷却して液体として回収してもよい。
【０１７２】
また、乾燥ドラム１７６は、その外周面を所定の温度に制御することが好ましい。記録媒体Ｐの裏面から加熱を行うことによって乾燥が促進され、定着時における画像破壊を防止することができる。乾燥ドラム１７６の表面温度の範囲は、５０℃以上が好ましく、より好ましくは６０℃以上である。また、上限については、特に限定されるものではないが、乾燥ドラム１７６の表面に付着したインクをクリーニングするなどのメンテナンス作業の安全性（高温による火傷防止）の観点から７５℃以下が好ましい。
【０１７３】
また、乾燥ドラム１７６は、記録媒体Ｐが搬送される前に所定の温度に加熱しておくことが好ましい。乾燥ドラム１７６を加熱しておくことで、乾燥を促進させることができるので、画像破壊を防止するとともに、カックルを防止することができる。加熱温度は、上記乾燥ドラム１７６の表面温度と同じ温度範囲とすることが好ましい。
【０１７４】
加熱は、吸引した際の温度低下を防止するため、吸引した状態で所定の温度とすることが好ましい。また、吸引しないで加熱を行う場合は、吸引した際の温度低下を考慮して、所定の温度より高い温度になるように加熱することが好ましい。また、記録媒体Ｐの記録面が外側を向くように（すなわち、記録媒体１２４の記録面が凸側となるように湾曲させた状態で）保持し、回転搬送しながら乾燥することで、記録媒体Ｐの皺や浮きの発生を防止でき、これらに起因する乾燥ムラを確実に防止することができる。
【０１７５】
乾燥ドラム１７６の吸引力は（開口面積）×（単位面積あたりの圧力）で表すことができる。吸引力は、記録媒体吸着保持領域における吸引孔の占める面積、すなわち、開口率を高くすることで吸引力をより高くすることができる。
【０１７６】
また、乾燥ドラム１７６の外周面に設けられた吸引孔の開口率は、乾燥ドラム１７６外周面と記録媒体Ｐとの接触面積に対して、１％以上７５％以下であることが好ましい。これにより、カックルの抑制、防止及び乾燥性能の向上を図ることができる。
【０１７７】
この開口率が１％未満であると、記録後の吸水による記録媒体Ｐの膨張変形を充分に抑止することができない。また、乾燥ドラム１７６自体も温まっており記録媒体Ｐはこれに接することによっても乾燥が促進されるところ、この開口率が７５％を超えると、記録媒体Ｐの裏面と乾燥ドラム１７６外周面との接触面積が低下するため、記録媒体Ｐを吸着保持した状態であっても充分な乾燥性能を得ることができず、カックルも悪化するからである。
【０１７８】
従って、乾燥ドラム１７６の外周面における吸引孔の開口率を１％以上７５％以下とすることで、カックルの抑制防止及び乾燥性能の向上を図ることができる。
【０１７９】
なお、開口率は、吸引孔の径、孔ピッチ、孔の形状及び配置により設定される。孔径は、０．４ｍｍ以上、また負圧吸引による記録媒体Ｐの凹み痕（吸着痕）がつかないように、１．５ｍｍ以下に設計することが好ましい。孔ピッチは、乾燥ドラム１７６外周面の熱変形の防止や剛性確保のため、０．１ｍｍ以上５ｍｍ以下が好ましい。孔の間隔があまり離れすぎると記録媒体Ｐの変形抑止効果が不足し、皺の発生をそれほど抑制できないからである。また、吸引孔の形状は、角（鋭角）形状があると、角部に応力が集中するので、角部を丸めた形状が好ましい。
【０１８０】
また、回転搬送体では、吸着圧力による記録媒体Ｐの変形量は周方向よりも軸方向の方が大きくなる。従って、吸引孔は、周方向を長軸方向、軸方向を短軸方向とした楕円形状又は長穴形状とすることで、記録媒体Ｐの周方向の変形と軸方向の変形を均等にすることもできる。
【０１８１】
また、乾燥ドラム１７６の外周面に、記録媒体Ｐの記録面が外側を向くように（すなわち、記録媒体Ｐの記録面が凸側となるように湾曲させた状態で）保持し、回転搬送しながら乾燥することで、記録媒体Ｐの皺や浮きの発生を防止でき、これらに起因する乾燥ムラを確実に防止することができる。
【０１８２】
乾燥部１１８で乾燥された記録媒体Ｐは、第３渡し胴搬送手段１３０（第２の中間搬送体）によって定着部１２０に搬送される。このとき、記録媒体Ｐは、第３渡し胴搬送手段１３０の保持爪（図示省略）によってその先端部を保持されて、記録面が内側を向き、後端側はフリーの状態で、裏面側がガイド部材１３１に沿って凸形状となるようにして搬送される。
【０１８３】
これにより、乾燥部１１８において乾燥ドラム１７６に吸引拘束されて搬送されつつ乾燥された記録媒体Ｐの拘束を一旦解除して、記録媒体Ｐを逆方向に曲げて矯正することで、記録媒体Ｐをフラット化し、カール防止を図るようにする。
【０１８４】
また、第３渡し胴搬送手段１３０は、その内部に不図示の熱風乾燥手段（乾燥手段）を有し、搬送中内側を向いている記録媒体Ｐの記録面側に熱風を吹き付けて、表面に打滴されたインクを乾燥させる。これにより、乾燥部１１８における乾燥ドラム１７６の吸引孔等に起因する乾燥ムラを均一化することができる。
【０１８５】
この第３渡し胴搬送手段１３０の内部に設けられる熱風乾燥手段は、送風でもよく、その温度は乾燥部１１８の熱風乾燥手段１８２よりも低く、消費電力の低減を図っている。
【０１８６】
定着部１２０の定着ドラム１８４は、第３渡し胴搬送手段１３０から記録媒体Ｐを受け取ると、定着ドラム１８４の外周面に設けられた保持手段１８５で記録媒体Ｐの先端部を保持するとともに、ドラム外周面に複数形成された吸引孔から負圧により記録媒体Ｐを吸引吸着し、密着するように拘束して記録媒体Ｐを外周面に巻きつけて搬送する。
【０１８７】
なお、定着ドラム１８４がその外周面に記録媒体Ｐを吸着する方法は、このような負圧吸引による方法に限定されるものではなく、例えば静電吸着のような方法でもよい。
【０１８８】
定着ドラム１８４の外周面に巻きつけられて搬送される記録媒体Ｐは、定着ドラム１８４に対向して配置された押圧ローラ（平滑化手段）１８８により加圧され、定着ドラム１８４に押しつけられてカールが矯正され皺が取り除かれる。
【０１８９】
押圧ローラ１８８は、定着ドラム１８４に対して圧接するように配置されており、定着ドラム１８４との間でニップローラを構成するようになっている。これにより、記録媒体Ｐは、押圧ローラ１８８と定着ドラム１８４との間に挟まれ、所定のニップ圧（例えば、０．１５ＭＰａ）でニップされ、平滑化処理が行われる。
【０１９０】
また、押圧ローラ１８８は、加熱ローラであってもよい。例えば、押圧ローラ１８８を、熱伝導性の良いアルミなどの金属パイプ内にハロゲンランプを組み込んだ加熱ローラとして構成し、所定の温度（例えば、６０〜８０℃）で制御するようにしてもよい。この加熱ローラとして構成した押圧ローラ１８８で記録媒体Ｐを加熱するとともに押圧することによって、インクに含まれるラテックスのＴｇ温度（ガラス転移点温度）以上の熱エネルギーが付与され、ラテックス粒子が溶融され、記録媒体Ｐの画像表面の凹凸がレベリングされ、光沢性が得られる。
【０１９１】
次に記録媒体Ｐは、定着ドラム１８４に対向して配置された本硬化手段（紫外線光源）１９０による紫外線照射を受け本硬化が行われ、インクが記録媒体Ｐに定着される。ここで本硬化手段１９０は、複数備えるようにしてもよい。これにより、一つ一つの本硬化手段１９０の照射強度を低減することにより、照射時間で硬化条件を稼ぐことが可能となり、コストダウン及び本硬化手段１９０の発熱量低減を図ることができる。
【０１９２】
本硬化手段１９０としては、特に限定されるものではなく、例えば、メタルハライドランプ、水銀ランプ、エキシマレーザ、紫外線レーザ、ブラックライト、冷陰極管、ＬＥＤ、レーザダイオード等が適用可能であり、特にメタルハライドランプ管、水銀ランプ管もしくはブラックライトが好ましい。またさらに、発光波長ピークが３５０〜４２０ｎｍであり、かつ記録媒体表面上での最高照度が１０〜２０００ｍＷ／ｃｍ２である紫外線を発生する発光ダイオードがより好ましい。
【０１９３】
本硬化手段１９０の光源のピーク波長は、インク組成物中の増感色素の吸収特性にもよるが、例えば、２００〜６００ｎｍ、好ましくは、３００〜４５０ｎｍ、さらに好ましくは、３５０〜４５０ｎｍであることが適当である。
本硬化手段１９０の紫外線照射量（照射エネルギー）としては、例えば、２０００ｍＪ／ｃｍ２以下、好ましくは、１０〜２０００ｍＪ／ｃｍ２であり、より好ましくは、２０〜１０００ｍＪ／ｃｍ２であり、さらに好ましくは、５０〜８００ｍＪ／ｃｍ２であることが適当である。
【０１９４】
また、本発明のインクジェット記録装置１００では、紫外線の照射時間は、記録媒体Ｐの記録面に対して、好ましくは、０．０１〜１０秒、より好ましくは、０．１〜２秒照射することが適当である。
【０１９５】
なお、定着ドラム１８４の表面温度を例えば５０℃以上に設定し、定着ドラム１８４の外周面に保持された記録媒体Ｐを裏面から加熱するようにしてもよい。これにより、記録媒体Ｐの乾燥が促進され、定着時における画像破壊を防止することができるとともに、画像温度の昇温効果によって画像強度を高めることができる。
【０１９６】
このように本実施形態では、記録媒体に対してまず処理液を付与して水性紫外線硬化型インクによって描画し、その後紫外線を照射して半硬化してから熱風を吹き付けて乾燥し、最後に再び紫外線を照射して本硬化するようにしている。
【０１９７】
処理液を付与したことにより、記録面上での色材流れ、色材滲み、各色インク間の混色、インク滴同士の着弾干渉が防止され、またインクに含まれる固形成分が記録面上に凝集することによって毛管が形成されるため、インクに含まれる水や溶媒の記録媒体内部への浸透を抑制することができる。
【０１９８】
また、半硬化により、インクが増粘し、インクに含まれる水や溶媒の記録媒体内部への浸透を抑制することができ、浸透によるカールやカックルの発生を抑制することができる。さらに、水や溶媒は記録面の表面近傍に留まるため、半硬化に引き続いて行われる乾燥処理における乾燥効率を向上させることができる。
【０１９９】
また、半硬化により、インクの流動が抑制されるので、吸着乾燥の際に、インクが吸着孔に溜まり難いという効果もある。
【０２００】
また上述したように本実施形態では、複数色のインクを付与した後で一括的にインクを半硬化させるようにしているので、紫外線照射部を各色別のヘッドの間に設置する必要がなくなるため、装置の大型化及び高コスト化を回避することができる。さらに、その結果各色別のヘッドの間隔を短くすることができるので、色ずれや画像ずれを防止することができるとともに、インク付与部での記録媒体の搬送を高速化することができ、高画質化とともに記録の高速化を実現することができる。
【０２０１】
また、本硬化により、本硬化の下流側搬送工程におけるローラや搬送ガイド等と画像面の擦れ、プリント集積部におけるプリント同士の擦れ、仕上がったプリントを取り扱う際の種々の物体による擦れなどを防止することができる。
【０２０２】
なお、上で説明した実施形態は、ドラム搬送の例であったが、本発明はドラム搬送の場合にのみ限定されるものではなく、例えばベルト搬送の場合にも好適に適用可能である。
【０２０３】
次に、ベルト搬送の例について簡単に説明する。
【０２０４】
図４に、ベルト搬送手段を備えたインクジェット記録装置の概略構成図を示す。
【０２０５】
図４に示すように、このインクジェット記録装置２００は、給紙部２１２から記録媒体Ｐを受け取ったベルト搬送手段２１０が記録媒体Ｐを搬送する際、その搬送路に沿って、処理液付与部２１４、描画部２１６、乾燥部２１８及び定着部２２０が配置され、画像が定着された記録媒体Ｐが排紙部２２２に排出されるようになっている。
【０２０６】
処理液付与部２１４は、ここでは処理液を記録媒体Ｐに向けて吐出するインクジェット方式の処理液吐出ヘッド２５６で構成されているが、これに限定されるものではない。
【０２０７】
描画部２１６は、各色の水性紫外線硬化型インクを吐出するインクジェットヘッド２７２（２７２Ｍ、２７２Ｋ、２７２Ｃ、２７２Ｙ）で構成され、乾燥部２１８は、記録媒体Ｐに熱風を吹き付ける熱風乾燥手段２８２で構成されている。
【０２０８】
なお、描画部２１６及び乾燥部２１８の搬送路の下側には記録媒体Ｐを搬送路に吸着する吸着手段２７０、２７６が、それぞれ設けられている。吸着手段２７０、２７６は特に限定されるものではなく、例えば、搬送路を形成する搬送ベルトに無数の穴（吸引孔）を設けておき、搬送ベルトの下側からポンプに連結した吸引部によって真空吸着するようにしてもよいし、静電吸着によって記録媒体Ｐを搬送路に吸着して搬送するようにしてもよい。
【０２０９】
なお、描画部２１６と乾燥部２１８の間に、描画部２１６において水性紫外線硬化型インクが打滴された記録媒体Ｐに対して紫外線を照射して半硬化させる半硬化手段２８９が設けられている。また、この紫外線がインクジェットヘッド２７２のノズル内のインクを硬化させないように、インクジェットヘッド２７２の半硬化手段２８９側を紫外線から遮蔽する遮蔽板２７３を配置することが好ましい。
【０２１０】
乾燥部２１８の後段には記録媒体Ｐ上のインクに紫外線を照射して本硬化させる本硬化手段２９０を備えた定着部２２０が配置されている。
【０２１１】
各部の細かい仕様は、前述したドラム搬送の場合と同様である。
【０２１２】
このように、ベルト搬送の場合にも、記録媒体Ｐ上に水性紫外線硬化型インクを打滴した後、まず半硬化してから乾燥し、その後本硬化することにより、前述したドラム搬送の場合と同様の効果を有する。
【０２１３】
また、前述したドラム搬送の例では、描画部１１６、乾燥部１１８、定着部１２０はそれぞれ別のドラム（描画ドラム１７０、乾燥ドラム１７６、定着ドラム１８４）で構成されていたが、その他の例として、これら複数のドラムを一つの大きなドラムで構成して、その大きな一つのドラムの外周面に沿って、描画部１１６（インクジェットヘッド１７２）、乾燥部１１８（熱風乾燥手段１８２）、定着部１２０（本硬化手段１９０）を配置するようにしてもよい。またこの場合、描画部１１６と乾燥部１１８の間にその大きな一つのドラムの外周面に対向して、半硬化手段１８９を配置するようにすればよい。
【０２１４】
このように一つの大きなドラムで搬送する場合やベルト搬送の場合には、前述したドラム搬送の実施形態における中間搬送体の役割をこの一つの大きなドラムや搬送ベルト自体が兼ねている。
【０２１５】
これらの例においても、前述したドラム搬送の実施形態と同様に、記録媒体へのインクの浸透によるカールやカックルの発生を抑制し、乾燥効率を向上させ、また色ずれや画像ずれを防止し、記録の高速化、高画質化を実現することができる。
【０２１６】
以上、本発明のインクジェット記録装置及びインクジェット記録方法について詳細に説明したが、本発明は、以上の例には限定されず、本発明の要旨を逸脱しない範囲において、各種の改良や変形を行ってもよいのはもちろんである。
【符号の説明】
【０２１７】
１００…インクジェット記録装置、１１２…給紙部、１１４…処理液付与部、１１６…描画部、１１８…乾燥部、１２０…定着部、１２４…記録媒体、１２６…第１渡し胴搬送手段、１２８…第２渡し胴搬送手段（第１の中間搬送体）、１３０…第３渡し胴搬送手段（第２の中間搬送体）、１５４…処理液ドラム、１５６…処理液塗布装置、１７０…描画ドラム、１７２、１７２Ｍ、１７２Ｋ、１７２Ｃ、１７２Ｙ…インクジェットヘッド、１７６…乾燥ドラム、１７８…溶媒乾燥装置、１８０…送風手段、１８２…熱風乾燥手段、１８４…定着ドラム、１８９…半硬化手段、１９０…本硬化手段（紫外線光源）、１９２…排紙ユニット、２００…インクジェット記録装置、２１０…ベルト搬送手段、Ｐ…記録媒体
【図１】
2011201125.tif 000003
【図２】
2011201125.tif 000004
【図３】
2011201125.tif 000005
【図４】
2011201125.tif 000006